(57)【要約】【課題】吹き出し部における空気流の風速分布の偏りを抑えることのできるターボファン及びこのターボファンを用いた空気調和機の室内ユニットを提供する。【解決手段】ハブ板２１とシュラウド２２との間に配置される羽根２３は、ハブ板２１側の後縁がシュラウド２２側の後縁よりも回転方向側に配置され、後縁スキュー角が所定角度の範囲となるように形成される。そして、ターボファンの回転によって吸い込まれた空気が前縁２４から後縁２５へと案内される間に、その空気をハブ板２１側からシュラウド２２側へと導く。これにより、ターボファンの吹き出し部における空気流の風速分布の偏りを抑制する。【選択図】図１１
2007170771.tif 000002
【特許請求の範囲】
【請求項１】
電動機により回転されるハブ板と、このハブ板の対向位置に設けられる環状のシュラウドと、前記ハブ板と前記シュラウドとの間に配置されて内周側の端部である前縁が外周側の端部である後縁よりも回転方向側に設けられる複数枚の羽根とを備え、回転によって前記シュラウド側から空気を吸い込み外周側へ吹き出すターボファンであって、
前記羽根は、前記ハブ板側の後縁が前記シュラウド側の後縁よりも回転方向側に配置され、前記ハブ板側端部の後縁と前記シュラウド側端部の後縁との円周方向角度が１４°〜２２°の範囲となるように形成される
ことを特徴とするターボファン。
【請求項２】
請求項１に記載のターボファンにおいて、
前記羽根は、前記ハブ板側の後縁における回転軸方向に対する傾斜角度が、前記シュラウド側の後縁における回転軸方向に対する傾斜角度よりも大きくなるように形成される
ことを特徴とするターボファン。
【請求項３】
請求項１又は２に記載のターボファンにおいて、
前記羽根は、前縁における入口角が前記ハブ板側から前記シュラウド側に向かって漸減するように形成される
ことを特徴とするターボファン。
【請求項４】
請求項１〜３のいずれか一項に記載のターボファンを搭載したことを特徴とする空気調和機の室内ユニット。
【請求項５】
請求項４に記載の空気調和機の室内ユニットにおいて、
前記ターボファンの空気の吸い込み側に空気吸込口が設けられるとともに、前記ターボファンの空気の吹き出し側に熱交換器が配置され、この熱交換器の下流側に空気吹出口が設けられる
ことを特徴とする空気調和機の室内ユニット。
【発明の詳細な説明】
【技術分野】
【０００１】
本発明は、回転によってシュラウド側から空気を吸い込み外周側へ吹き出すターボファン及びこれを用いた空気調和機の室内ユニットに関する。
【背景技術】
【０００２】
従来、天井埋込型等の空気調和機に用いられる送風ファンとしては、効率面、騒音面を考慮して、ファンの羽根が３次元形状に形成された遠心ファンである、いわゆるターボファンが広く採用されている。このようなターボファンは、一般的に、電動機により回転されるハブ板と、このハブ板の対向位置に設けられる環状のシュラウドと、ハブ板とシュラウドとの間に配置されて内周側の端部である前縁が外周側の端部である後縁よりも回転方向側に設けられる複数枚の羽根とを備えている。そして、電動機によるターボファンの回転によって、シュラウド側から空気を吸い込み、その空気を羽根の前縁から後縁へと案内してターボファンの外周側へ吹き出すように構成されている。また、こうしたターボファンを用いた空気調和機としては、特許文献１に示されるように、ターボファンの吹出側に熱交換器を配置して薄型化を図ったものが提案されている。
【特許文献１】特開平５−３９９３０号公報
【発明の開示】
【発明が解決しようとする課題】
【０００３】
ところで、このようなターボファンは、ハブ板と対向するシュラウド側から吸い込まれた空気が、略垂直方向に方向転換されて外周側から吹き出すように構成されるため、ターボファン内を通過する空気流がハブ板側に偏ってしまう。このため、ターボファンの吹き出し部における空気流の風速分布がハブ板側に偏った状態になり、ターボファンの吹き出し側に配置された熱交換器に送られる空気量が不均一となるので、熱交換器の熱交換効率の低下及び熱交換器の通風抵抗の増加、ひいてはターボファンの回転動力の増加及びエネルギー効率の低下を招く原因となっていた。特に近年、空気調和機の小型化に対する要求から、ターボファンの吹き出し部と熱交換器との距離が短くなるように配置される傾向にあるため、ターボファンの吹き出し部における空気流の風速分布が、熱交換器の熱交換効率及び熱交換器の通風抵抗に与える影響がより一層大きくなっている。
【０００４】
この発明は、こうした実情に鑑みてなされたものであって、その目的は、吹き出し部における空気流の風速分布の偏りを抑えることのできるターボファン及びこのターボファンを用いた空気調和機の室内ユニットを提供することにある。
【課題を解決するための手段】
【０００５】
本発明に係るターボファンは、電動機により回転されるハブ板と、このハブ板の対向位置に設けられる環状のシュラウドと、前記ハブ板と前記シュラウドとの間に配置されて内周側の端部である前縁が外周側の端部である後縁よりも回転方向側に設けられる複数枚の羽根とを備え、回転によって前記シュラウド側から空気を吸い込み外周側へ吹き出すターボファンであって、前記羽根は、前記ハブ板側の後縁が前記シュラウド側の後縁よりも回転方向側に配置され、前記ハブ板側端部の後縁と前記シュラウド側端部の後縁との円周方向角度が１４°〜２２°の範囲となるように形成されることを特徴とする。
【０００６】
同構成によれば、ハブ板とシュラウドとの間に配置されるターボファンの羽根は、ハブ板側の後縁がシュラウド側の後縁よりも回転方向側に配置され、ハブ板側端部の後縁とシュラウド側端部の後縁との円周方向角度が１４°〜２２°の範囲となるように形成される。ハブ板側の後縁がシュラウド側の後縁よりも回転方向側に配置されると、ターボファンの回転によって吸い込まれた空気がハブ板側からシュラウド側に導かれるため、ハブ板側に偏った空気流の風速分布を均すことができる。しかし、ハブ板側の後縁をシュラウド側の後縁に対して回転方向側に大きくずらし過ぎると、羽根の後縁の回転軸方向に対する傾斜角度が大きくなるため、ハブ板側に加わるスラスト力が大きくなり、ターボファンの回転動力が増加してエネルギー効率の低下を招く。ターボファンの羽根を、ハブ板側端部の後縁とシュラウド側端部の後縁との円周方向角度が１４°〜２２°の範囲となるように形成すると、ハブ板側に偏った空気流の風速分布を均す効果が発揮されるとともに、スラスト力の増加に伴うターボファンの回転動力の増加を抑えることができる。このため、ターボファンの吹き出し部における空気流の風速分布の偏りを効率よく抑えるように構成することができる。
【０００７】
また、前記羽根は、前記ハブ板側の後縁における回転軸方向に対する傾斜角度が、前記シュラウド側の後縁における回転軸方向に対する傾斜角度よりも大きくなるように形成されていてもよい。
【０００８】
同構成によれば、ターボファンの羽根は、ハブ板側の後縁における回転軸方向に対する傾斜角度が、シュラウド側の後縁における回転軸方向に対する傾斜角度よりも大きくなるように形成される。このため、ハブ板側の羽根の後縁における傾斜角度を相対的に大きくすることで、ハブ板側に偏って流れる空気流をハブ板側からシュラウド側に導く効果をより大きくすることができ、ターボファンの吹き出し部における空気流の風速分布の偏りをより好適に抑えることができる。
【０００９】
また、前記羽根は、前縁における入口角が前記ハブ板側から前記シュラウド側に向かって漸減するように形成されていてもよい。ここで、入口角とは、羽根の前縁において羽根の翼素のキャンバー線と羽根の回転する周方向接線とが成す角度である。
【００１０】
ターボファン内を通過する空気流はハブ板側に偏ることから、外周側へ吹き出される空気流の速度はシュラウド側よりもハブ板側の方が高くなり、羽根の前縁における空気流の径方向速度についてもシュラウド側よりもハブ板側の方が高くなる。このため、羽根の前縁における空気流の周方向接線に対する流入角が、ハブ板側では相対的に大きくシュラウド側では相対的に小さくなる。
【００１１】
同構成によれば、ターボファンの羽根は、前縁における入口角がハブ板側からシュラウド側に向かって漸減するように形成されるため、羽根の前縁において空気流の流入角と入口角とを近づけるようにすることができる。このため、空気流が羽根とほぼ無衝突で羽根間の流路に入っていくため、羽根の前縁近傍において剥離流が生じることを抑えることができ、空気流の圧力損失及び騒音の発生を抑制することができる。
【００１２】
また、本発明に係る空気調和機の室内ユニットは、上記のターボファンを搭載したことを特徴とする。同構成によれば、上記のようにターボファンの吹き出し部における空気流の風速分布の偏りを抑えることができるため、空気調和機の室内ユニット内を流通する空気の流れを円滑にすることができ、機内抵抗を低減して空気調和機のエネルギー効率を向上させることができる。
【００１３】
また、上記のターボファンを搭載した空気調和機の室内ユニットにおいて、前記ターボファンの空気の吸い込み側に空気吸込口が設けられるとともに、前記ターボファンの空気の吹き出し側に熱交換器が配置され、この熱交換器の下流側に空気吹出口が設けられるようにしてもよい。
【００１４】
同構成によれば、ターボファンの空気の吹き出し側に熱交換器を配置するため、空気調和機の室内ユニットを薄型化することができる。また、風速分布の偏りが抑えられて均一化された空気流がターボファンの吹き出し部から熱交換器へと導かれるため、熱交換器の熱交換効率の向上及び熱交換器の通風抵抗の低下を図ることができる。また、熱交換器の通風抵抗の低下によって、空気調和機の室内ユニットにおける騒音の発生を抑えることができる。
【発明の効果】
【００１５】
本発明に係るターボファンによれば、ハブ板とシュラウドとの間に配置される羽根は、ターボファンの回転動力を過度に増加させることなく、ハブ板側に偏った空気流をハブ板側からシュラウド側へと導くような羽根形状を有しているため、吹き出し部における空気流の風速分布の偏りを好適に抑えることができる。また、本発明に係る空気調和機の室内ユニットによれば、上記のようなターボファンを用いるため、室内ユニット内を流通する空気の流れを円滑にすることができ、機内抵抗を低減して空気調和機のエネルギー効率を向上させることができる。
【発明を実施するための最良の形態】
【００１６】
以下、図１〜１３を参照して、本発明に係るターボファン及びこのターボファンを用いた空気調和機の室内ユニットを具体化した一実施形態について説明する。
図１は空気調和機の壁掛型室内ユニットの外観斜視図である。室内ユニット１は横長箱型形状に形成されるとともに、そのケーシングが、フレーム１１と、フレーム１１の前面側に取り付けられる前面グリル１２とによって構成される。前面グリル１２には、中央部に室内空気を吸い込む空気吸込口１３と、左右側方部分に室内ユニット１内で熱交換された空気を吹き出すための空気吹出口１４とが形成されている。
【００１７】
図２は図１のＡ−Ａ線に沿う空気調和機の室内ユニット１の断面図であり、図３は室内ユニット１の前面グリル１２を開放した状態を示す斜視図である。室内ユニット１のケーシング内には、空気を循環させるターボファン２と、通過する空気と熱交換を行う熱交換器３とが収納されている。ターボファン２は、室内ユニット１の中央部に配置されるとともに、その回転により前面グリル１２の空気吸込口１３から吸い込んだ空気を左右側方に吹き出すように構成されている。熱交換器３は、ターボファン２の左右両側に配置されるとともに、冷媒回路における凝縮器（暖房運転時）や蒸発器（冷房運転時）として機能して、ターボファン２から吹出された空気と熱交換を行う。また、室内ユニット１のケーシング内には、空気吸込口１３から吸い込んだ空気をターボファン２に案内するベルマウス１５が設けられるとともに、熱交換器３で熱交換された空気を空気吹出口１４に案内する空気通路１６が形成されている。
【００１８】
ターボファン２は、電動機としてのモータ１７により回転され、ターボファン２の回転軸、すなわちモータ１７の回転軸１７ａが室内ユニット１の前後方向となるように配置されている。モータ１７は、薄型仕様のモータ、例えばプリントモータが使用されており、ターボファン２の背面側において、フレーム１１の背壁に固定されている。
【００１９】
ターボファン２は、図４に示されるように、モータ１７により回転されるハブ板２１と、ハブ板２１の対向位置に設けられる環状のシュラウド２２と、ハブ板２１とシュラウド２２との間に配置される複数枚の羽根２３とを備えている。ここで、各図における矢印Ｒはターボファン２の回転方向を示している。
【００２０】
ハブ板２１は、外形２１ａが円形に形成されるとともに、その中心部にモータ１７の回転軸１７ａが固定される孔部２１ｂが設けられている。シュラウド２２は、外形２２ａが円形に形成されるとともに、その中央部に空気を吸い込む開口２２ｂが形成されている。羽根２３は、翼形状を成すとともにその表面が３次元形状に形成されており、内周側の端部である前縁２４が外周側の端部である後縁２５よりも回転方向側に設けられている。ターボファン２は、その回転によってシュラウド２２の開口２２ｂから空気を吸い込み、羽根２３の前縁２４から後縁２５へと空気を案内してターボファン２の外周側へその空気を吹き出す。
【００２１】
次に、羽根２３の形状についてさらに詳しく説明する。図５は羽根２３を後縁２５側から見たときの部分側面図であり、図６は羽根２３をシュラウド２２側から見たときの部分平面図である。羽根２３は、図５に示すように、ハブ板２１側の後縁２５ａがシュラウド２２側の後縁２５ｂよりも回転方向側に配置されて、後縁２５が回転軸方向に対して傾斜するように形成されている。ターボファン２は、シュラウド２２の開口２２ｂから吸い込まれた空気が、略垂直方向に方向転換されて外周側から吹き出すように構成されるため、ターボファン２内を通過する空気流がハブ板２１側に偏ってしまう。このため、ハブ板２１側の後縁２５ａをシュラウド２２側の後縁２５ｂよりも回転方向側に配置することによって、吸い込まれた空気が前縁２４から後縁２５へと案内される間に、その空気をハブ板２１側からシュラウド２２側へと導くことができる。これにより、ターボファン２の吹き出し部である羽根２３の後縁２５において、ハブ板２１側に偏った空気流の風速分布を均すようにしている。
【００２２】
また、羽根２３は、図５に示すように、ハブ板２１側の後縁２５ａにおける回転軸方向に対する傾斜角度θｈが、シュラウド２２側の後縁２５ｂにおける回転軸方向に対する傾斜角度θｓよりも大きくなるように形成されている。このようにハブ板２１側の後縁２５ａの傾斜角度θｈをシュラウド２２側の後縁２５ｂの傾斜角度θｓより大きくすることで、ハブ板２１側に偏って流れる空気流をハブ板２１側からシュラウド２２側へと導く効果をより大きくしている。
【００２３】
また、羽根２３は、図６に示すように、ハブ板２１側端部の後縁２５ｃとシュラウド２２側端部の後縁２５ｄとの円周方向角度（以下、この角度を後縁スキュー角αと呼ぶ）が１４°〜２２°の範囲となるように形成されている。ここで、Ｏは回転軸中心である。後縁スキュー角αが１４°〜２２°に設定されていることについての効果は後述する。
【００２４】
また、羽根２３は、図６に示すように、ハブ板２１側の前縁２４ａにおける入口角βｈが、シュラウド２２側の前縁２４ｂにおける入口角βｓよりも大きくなるように形成されている。すなわち、前縁２４における入口角βがハブ板２１側からシュラウド２２側に向かって漸減するように形成されている。ここで、羽根２３の入口角βとターボファン２内を通過する空気流との関係について説明する。図７はターボファン２内の空気流を示す部分断面図であり、図８は羽根２３の前縁２４に空気流が流入する状態を示す部分平面図である。
【００２５】
図７に示すように、ターボファン２内を通過する空気流Ｂはハブ板側に偏ることから、外周側へ吹き出される空気流の速度はシュラウド２２側よりもハブ板２１側の方が高くなる。このため、羽根２３の前縁２４における空気流の径方向速度Ｃについてもシュラウド２２側よりもハブ板２１側の方が高くなる。ここで、図８に示すように、空気流の径方向速度Ｃと羽根２３の前縁２４の周方向速度Ｄとから、羽根２３の前縁２４に対する空気流の相対速度Ｅと前縁２４の周方向接線に対する流入角γとを求めることができる。上述のように、ハブ板２１側の前縁２４ａにおける空気流の径方向速度Ｃｈは、シュラウド２２側の前縁２４ｂにおける空気流の径方向速度Ｃｓよりも高くなるため、ハブ板２１側の前縁２４ａの相対速度Ｅｈは、シュラウド２２側の前縁２４ｂの相対速度Ｅｓより高くなる。そして、ハブ板２１側の前縁２４ａにおける流入角γｈは、シュラウド２２側の前縁２４ｂにおける流入角γｓよりも大きくなる。このため、前縁２４における入口角βがハブ板２１側からシュラウド２２側に向かって漸減するように羽根を形成すると、羽根２３の前縁２４の各位置において空気流の流入角γと入口角βとを近づけるようにすることができる。これにより、空気流が羽根２３とほぼ無衝突で羽根間の流路に入っていくため、羽根２３の前縁２４近傍において剥離流が生じることを抑えることができる。
【００２６】
また、羽根２３は、図６に示すように、シュラウド２２側の前縁２４ｂがシュラウド２２の開口２２ｂの外周を回転軸に垂直な面に投影した円形状とほぼ同一位置上に配置されている。これにより、シュラウド２２の開口２２ｂから吸い込んだ空気流がシュラウド２２側の羽根２３と衝突しないようにして空気流の圧力損失を軽減するとともに、シュラウド２２側の羽根２３の長さを極力長くして吸い込んだ空気を効率よく後縁２５に案内するようにしている。また、羽根２３は、ハブ板２１側の前縁２４ａがシュラウド２２の開口２２ｂの外周を回転軸に垂直な面に投影した円形状よりも内側に配置される。これにより、シュラウド２２の開口２２ｂから吸い込まれてハブ板２１側に偏った空気流を、ハブ板２１側の前縁２４ａ近傍で速やかに捉えるようにしている。
【００２７】
熱交換器３は、ターボファン２の左右両側に略対称的に分散配置されている。分散配置された両熱交換器３は、図９に示すように、底部スペースを利用して配置される冷媒配管３１により連結され、一体となって作用するように構成されている。熱交換器３には、前板３２と後板３３との間に扁平チューブ３４が前後方向に平行に６列配置されている。扁平チューブ３４間及び扁平チューブ３４と前板３２又は後板３３との間には、コルゲートフィン３５が設けられる。そして、熱交換器３は、コルゲートフィン３５を通過する空気と熱交換を行う。
【００２８】
次に、空気調和機の室内ユニット１の作用について説明する。空気調和機の運転が開始されてターボファン２が回転されると、前面グリル１２の空気吸込口１３から室内空気が吸い込まれる。この室内空気は、ベルマウス１５により案内されて、シュラウド２２の開口２２ｂからターボファン２の内部に取り込まれる。そして、ターボファン２に取り込まれた空気は、羽根２３の前縁２４から後縁２５へと案内されることにより昇圧されて羽根２３の後縁２５から外周側へ吐き出される。ターボファン２から吹き出された空気は、左右両側の熱交換器３で熱交換された後に、空気通路１６に案内されて、前面グリル１２の空気吹出口１４から室内に吹き出される。
【００２９】
次に、羽根２３の後縁スキュー角αについて説明する。図１０〜１２は、後縁スキュー角αを順次大きくしていったときの、ターボファン２内の空気流の流れ及び羽根２３の後縁２５における風速分布を示したものである。図１０は図１０（ａ）の部分平面図に示すように後縁スキュー角α１が小さい場合（例えばα１＝１０°）の空気流の状態を示したものである。後縁スキュー角α１が小さい場合は、図１０（ｂ）の側面図に示すように、吸い込まれた空気が羽根２３の前縁２４から後縁２５へと案内されるときに、その空気流Ｆをハブ板２１側からシュラウド２２側へと押し上げる力が弱くなる。このため、図１０（ｃ）の部分断面図に示すように、ハブ板２１側に偏って流れる空気流Ｆが、そのまま羽根２３の後縁２５から吹き出されるため、後縁２５における空気流Ｆの風速分布Ｇがハブ板２１側に偏ってしまう。その結果、ハブ板２１側に偏った空気流Ｆがそのまま熱交換器３に導かれることとなり、熱交換器３の熱交換効率が低下するとともに、熱交換器３の通風抵抗が増加してしまう。また、熱交換器３の通風抵抗の増加によって、室内ユニット１の騒音も増加する。
【００３０】
図１１は図１１（ａ）の部分平面図に示すように後縁スキュー角α２をα１よりも大きくした場合（例えばα２＝１８°）の空気流の状態を示したものである。この場合は、図１１（ｂ）の側面図に示すように、吸い込まれた空気が羽根２３の前縁２４から後縁２５へと案内されるときに、その空気流Ｈをハブ板２１側からシュラウド２２側へと押し上げる力が図１０（ｂ）の場合よりも強くなる。このため、図１１（ｃ）の部分断面図に示すように、ハブ板２１側に偏って流れる空気流Ｈが、ハブ板２１側からシュラウド２２側へと導かれるため、後縁２５における空気流Ｈの風速分布Ｉが均一化される。その結果、熱交換器３に導かれる空気流Ｈが均一化されることとなり、熱交換器３の熱交換効率の向上、熱交換器３の通風抵抗の低下及び室内ユニット１の騒音の低下を図ることができる。
【００３１】
図１２は図１２（ａ）の部分平面図に示すように後縁スキュー角α３をα２よりもさらに大きくした場合（例えばα２＝２５°）の空気流の状態を示したものである。この場合は、図１２（ｂ）の側面図に示すように、吸い込まれた空気が羽根２３の前縁２４から後縁２５へと案内されるときに、その空気流Ｊをハブ板２１側からシュラウド２２側へと押し上げる力が図１１（ｂ）の場合よりもさらに強くなる。このため、図１２（ｃ）の部分断面図に示すように、ハブ板２１側に偏って流れる空気流Ｊが、ハブ板２１側からシュラウド２２側へと強く導かれるようになる。ところが、空気流Ｊがハブ板２１を押し下げる力が強くなり、ターボファン２からモータ１７に対して大きなスラスト力を与えてしまうこととなるため、モータ１７の出力効率が低下してしまう。その結果、羽根２３の後縁２５から吹き出される空気量が減少し、空気流Ｊの風速分布Ｋの速度値が低下するため、室内ユニット１のエネルギー効率が低下する。
【００３２】
以上のように、ターボファン２の羽根２３を、図１１に示すような所定の後縁スキュー角α（例えば１４°〜２２°の範囲）となるように形成すると、ハブ板２１側に偏った空気流の風速分布を均す効果が発揮されるとともに、モータ１７に加わるスラスト力の増加に伴ってターボファン２の回転動力が増加することを抑えることができる。このため、羽根２３の後縁２５における空気流の風速分布の偏りを効率よく抑えるように構成することができる。
【００３３】
ここで、羽根２３の後縁スキュー角αに対する室内ユニット１の騒音の変化量を測定したところ図１３に示す結果が得られた。この測定は、ターボファン２の羽根２３の後縁２５から吹き出される時間あたりの総空気量が一定になる条件で行った。また、図１３は後縁スキュー角αが１０°のときの騒音を基準として騒音の変化量を縦軸にとったものである。図１３に示されるように、後縁スキュー角αが１８°となるときに最も室内ユニット１の騒音が低減され、後縁スキュー角αが１４°〜２２°の範囲Ｘにおいて騒音低減効果が見られた。室内ユニット１の騒音は、熱交換器３の熱交換効率や通風抵抗とも相関を有するため、後縁スキュー角αを１４°〜２２°の範囲Ｘに設定することにより、熱交換器３の熱交換効率を向上させるとともに、熱交換器３の通風抵抗を低下させることができると推測される。
【００３４】
上記実施形態によれば、以下のような効果を得ることができる。
（１）上記実施形態では、ターボファン２の羽根２３は、ハブ板２１側の後縁２５ａがシュラウド２２側の後縁２５ｂよりも回転方向側に配置され、後縁スキュー角αが１４°〜２２°の範囲となるように形成される。ハブ板２１側の後縁２５ａがシュラウド２２側の後縁２５ｂよりも回転方向側に配置されると、ターボファン２の回転によって吸い込まれた空気がハブ板２１側からシュラウド２２側に導かれるため、ハブ板２１側に偏った空気流の風速分布を均すことができる。しかし、ハブ板２１側の後縁２５ａをシュラウド２２側の後縁２５ｂに対して回転方向側に大きくずらし過ぎると、羽根２３の後縁２５の回転軸方向に対する傾斜角度が大きくなるため、空気流がハブ板２１を押圧してモータ１７に大きなスラスト力を与えてしまい、ターボファン２の回転動力が増加してエネルギー効率の低下を招く。上記実施形態のように、ターボファン２の羽根２３を後縁スキュー角αが１４°〜２２°の範囲となるように形成すると、ハブ板２１側に偏った空気流の風速分布を均す効果が発揮されるとともに、スラスト力の増加に伴うターボファン２の回転動力の増加を抑えることができる。このため、羽根２３の後縁２５から吹き出される空気流の風速分布の偏りを効率よく抑えることができる。
【００３５】
（２）上記実施形態では、ターボファン２の羽根２３の後縁２５から吹き出される空気流の風速分布の偏りを抑制するように構成されているため、空気調和機の室内ユニット１内を流通する空気の流れを円滑にすることができ、機内抵抗を低減して空気調和機のエネルギー効率を向上させることができる。
【００３６】
（３）上記実施形態では、ターボファン２の空気の吹き出し側に熱交換器３が配置されるため、風速分布の偏りが抑えられて均一化された空気流がターボファン２から熱交換器３へと導かれる。このため、熱交換器３の熱交換効率の向上及び熱交換器３の通風抵抗の低下を図ることができる。また、熱交換器３の通風抵抗の低下によって、空気調和機の室内ユニット１における騒音の発生を抑えることができる。また、ターボファン２の空気の吹き出し側に熱交換器３を配置するため、空気調和機の室内ユニット１を薄型化することができる。
【００３７】
（４）上記実施形態では、羽根２３は、ハブ板２１側の後縁２５ａにおける回転軸方向に対する傾斜角度θｈが、シュラウド２２側の後縁２５ｂにおける回転軸方向に対する傾斜角度θｓよりも大きくなるように形成される。このようにハブ板２１側の後縁２５ａにおける傾斜角度θｈを相対的に大きくすることで、ハブ板２１側に偏って流れる空気流をハブ板２１側からシュラウド２２側に導く効果をより大きくすることができ、羽根２３の後縁２５における空気流の風速分布の偏りをより好適に抑えることができる。
【００３８】
（５）上記実施形態では、羽根２３は、前縁２４における入口角βがハブ板２１側からシュラウド２２側に向かって漸減するように形成されるため、羽根２３の前縁２４において空気流の流入角γと入口角βとを近づけるように構成することができる。このため、空気流が羽根２３とほぼ無衝突で羽根間の流路に入っていくため、羽根２３の前縁２４近傍において剥離流が生じることを抑えることができ、空気流の圧力損失及び騒音の発生を抑制することができる。
【００３９】
（６）上記実施形態では、羽根２３は、ハブ板２１側の前縁２４ａがシュラウド２２側の前縁２４ｂよりも径方向の内側に配置される。このため、ハブ板２１側に偏った空気流をハブ板２１側の前縁２４ａ近傍で速やかに捉えて後縁２５に案内するように構成することができる。
【００４０】
（７）上記実施形態では、羽根２３は、シュラウド２２側の前縁２４ｂがシュラウド２２の開口２２ｂの外周を回転軸に垂直な面に投影した円形状とほぼ同一位置上に配置される。このため、シュラウド２２の開口２２ｂから吸い込んだ空気流がシュラウド２２側の羽根２３と衝突しないようにして空気流の圧力損失を軽減するとともに、シュラウド２２側の羽根２３の長さを極力長くして吸い込んだ空気を効率よく後縁２５に案内することができる。
【００４１】
（８）上記実施形態では、羽根２３は、ハブ板２１側の前縁２４ａがシュラウド２２の開口２２ｂの外周を回転軸に垂直な面に投影した円形状よりも内側に配置される。このため、シュラウド２２の開口２２ｂから吸い込まれてハブ板２１側に偏った空気流を、ハブ板２１側の前縁２４ａ近傍で速やかに捉えることができ、吸い込んだ空気を効率よく後縁２５に案内することができる。
【００４２】
なお、上記実施形態は以下のように変更してもよい。
・上記実施形態では、ターボファン２の羽根２３が、翼形状に形成されているが、板形状に形成されていてもよい。
【００４３】
・上記実施形態では、空気調和機の室内ユニット１を壁掛型としたが、天井埋込型等、他の形式の室内ユニットとしてもよい。
・また、熱交換器３は、クロスフィンコイル式熱交換器等、他の形式の熱交換器としてもよい。
【００４４】
・上記実施形態では、室内ユニット１の構成を、ターボファン２の空気の吹き出し側に熱交換器３が配置されるようにしたが、ターボファン２の空気の吸い込み側に熱交換器３が配置されるようにしてもよい。
【図面の簡単な説明】
【００４５】
【図１】本発明に係る空気調和機の室内ユニットの外観斜視図。
【図２】図１のＡ−Ａ線に沿う空気調和機の室内ユニットの断面図。
【図３】空気調和機の室内ユニットの前面を開放した状態を示す斜視図。
【図４】ターボファンの斜視図。
【図５】ターボファンの羽根を後縁側から見たときの部分側面図。
【図６】ターボファンの羽根をシュラウド側から見たときの部分平面図。
【図７】ターボファン内の空気流を示す部分断面図。
【図８】ターボファンの羽根の前縁に空気流が流入する状態を示す部分平面図。
【図９】熱交換器の斜視図。
【図１０】（ａ）は羽根の配置を示すターボファンの部分平面図、（ｂ）はターボファンの側面図、（ｃ）はターボファンの部分断面図。
【図１１】（ａ）は羽根の配置を示すターボファンの部分平面図、（ｂ）はターボファンの側面図、（ｃ）はターボファンの部分断面図。
【図１２】（ａ）は羽根の配置を示すターボファンの部分平面図、（ｂ）はターボファンの側面図、（ｃ）はターボファンの部分断面図。
【図１３】羽根の後縁スキュー角に対する騒音の変化量を示すグラフ。
【符号の説明】
【００４６】
１…室内ユニット、２…ターボファン、３…熱交換器、１１…フレーム、１２…前面グリル、１３…空気吸込口、１４…空気吹出口、１５…ベルマウス、１６…通気通路、１７…モータ、２１…ハブ板、２２…シュラウド、２３…羽根、２４…前縁、２５…後縁、α…後縁スキュー角、β…入口角、γ…流入角。
【図１】
2007170771.tif 000003
【図２】
2007170771.tif 000004
【図３】
2007170771.tif 000005
【図４】
2007170771.tif 000006
【図５】
2007170771.tif 000007
【図６】
2007170771.tif 000008
【図７】
2007170771.tif 000009
【図８】
2007170771.tif 000010
【図９】
2007170771.tif 000011
【図１０】
2007170771.tif 000012
【図１１】
2007170771.tif 000013
【図１２】
2007170771.tif 000014
【図１３】
2007170771.tif 000015